(57)【要約】      （修正有）【課題】手間を掛けず簡単にヘアートリートメント剤などの頭髪処理剤を髪の毛に作用させることができる頭髪処理用キャップを提供する。【解決手段】頭髪処理用キャップは、頭髪収容袋１０を頭髪に被せた状態で頭髪収容袋１０の開口部１５を狭めるための手段として、開口部狭窄部２０を有する。開口部狭窄部２０は、具体的には、開口部１５に近接する頭髪収容袋１０の端部の外面において、開口部１５の縁と平行に突出した突出片２１と、その突出片２１に設けられた接着部２２を有する。接着部２２は、例えば、接着剤が塗布された接着面を有するテープ状の部材である。この接着面の一部は突出片２１の先端部に固着され、他の部分は剥離紙によって被覆される。剥離紙は、使用の際に接着面から剥がされる。突出片２１は、開口部１５の縁が頭部と密着する程度に開口部１５が十分狭くなる位置まで引っ張られ、その位置で接着部２２の接着面が頭髪収容袋１０の外面に貼着される。【選択図】図１
0003186110.tif 000002
【実用新案登録請求の範囲】
【請求項１】
頭髪に所定の処理を施すための頭髪処理剤が内面に塗られた頭髪収容袋と、
前記頭髪収容袋を頭髪に被せた状態で前記頭髪収容袋の開口部を狭める開口部狭窄手段と
を有する頭髪処理用キャップ。
【請求項２】
前記開口部狭窄手段は、前記開口部に近接する前記頭髪収容袋の端部の外面に設けられ、前記頭髪収容袋の外面に接着可能な接着部を有する、
請求項１に記載の頭髪処理用キャップ。
【請求項３】
前記開口部狭窄手段は、前記開口部に近接する前記頭髪収容袋の端部の外面において、前記開口部の縁と平行に突出した突出片を有し、
前記接着部は前記突出片に設けられている、
請求項２に記載の頭髪処理用キャップ。
【請求項４】
前記頭髪収容袋は、前記開口部の一方の端から他方の端へ延びる稜線において接着された２つのシート状部材を有する、
請求項３に記載の頭髪処理用キャップ。
【請求項５】
前記突出片は、前記２つのシート状部材にそれぞれ設けられた突出部分の縁が前記稜線において接着されることにより形成される、
請求項４に記載の頭髪処理用キャップ。
【考案の詳細な説明】
【技術分野】
【０００１】
本考案は、頭髪にトリートメント等の処理を施す場合に頭髪に被せて使用する頭髪処理用キャップに関するものである。
【背景技術】
【０００２】
頭髪は、太陽光に含まれる紫外線やドライヤーの熱、毛染め、パーマなどによって傷みやすく、それにより色つやが悪くなったり、櫛が通り難くばさついた状態になったり、枝毛や切れ毛などが生じたりする。そのため、特に髪の毛の長い女性にとっては、傷んだ頭髪の手入れが欠かせないものとなっている。頭髪の手入れは、一般に、ヘアーリンスやヘアートリートメント剤などを洗髪後の髪に付けてなじませ、洗い流す方法により行われている。
【考案の概要】
【考案が解決しようとする課題】
【０００３】
ところで、傷んだ髪の毛に有効な成分を補給するヘアートリートメント剤の中には、適度な温熱を与えることで髪毛内部への有効成分の浸透が促進されて、髪の毛の補修効果が向上するものがある。そのため、従来は、ヘアートリートメント剤を付けた後で蒸したタオルなどを頭髪に巻く方法をとることがあった。しかしながら、この方法では、頭髪の手入れを行う度にタオルを準備しなければならなかったり、手入れの後にはタオルを洗わなければならなかったりするなど、手間が掛かって面倒であるという問題があった。
【０００４】
本考案はかかる事情に鑑みてなされたものであり、その目的は、手間を掛けず簡単にヘアートリートメント剤などの頭髪処理剤を髪の毛に作用させることができる頭髪処理用キャップを提供することにある。
【課題を解決するための手段】
【０００５】
本考案に係る頭髪処理用キャップは、頭髪に所定の処理を施すための頭髪処理剤が内面に塗られた頭髪収容袋と、前記頭髪収容袋を頭髪に被せた状態で前記頭髪収容袋の開口部を狭める開口部狭窄手段とを有する。
【０００６】
好適に、前記開口部狭窄手段は、前記開口部に近接する前記頭髪収容袋の端部の外面に設けられ、前記頭髪収容袋の外面に接着可能な接着部を有する。
【０００７】
好適に、前記開口部狭窄手段は、前記開口部に近接する前記頭髪収容袋の端部の外面において、前記開口部の縁と平行に突出した突出片を有し、前記接着部は前記突出片に設けられている。
【０００８】
好適に、前記頭髪収容袋は、前記開口部の一方の端から他方の端へ延びる稜線において接着された２つのシート状部材を有する。
【０００９】
好適に、前記突出片は、前記２つのシート状部材にそれぞれ設けれた突出部分の縁が前記稜線において接着されることにより形成される。
【考案の効果】
【００１０】
本考案によれば、頭髪収容袋の密閉された内部で頭髪に適度な温熱を与えながら頭髪処理剤を作用させることにより、ヘアートリートメント剤等の頭髪処理剤を髪の毛へ効果的に作用させることができるとともに、そのような頭髪の処理をタオル等で頭を巻くことなく簡単かつ手軽に行うことができる。
【図面の簡単な説明】
【００１１】
【図１】本考案の実施形態に係る頭髪処理用キャップの一例を示す図である。
【図２】本考案の実施形態に係る頭髪処理用キャップの使用例を示す図である。
【考案を実施するための形態】
【００１２】
以下、本考案の実施形態に係る頭髪処理用キャップについて図面を参照して説明する。
図１は、本考案の実施形態に係る頭髪処理用キャップの一例を示す図である。図１に示す頭髪処理用キャップは、頭髪に被せて使用する頭髪用収容袋１０を有する。頭髪収容袋１０は、その内側の面にヘアートリートメント剤が塗布されている。
【００１３】
頭髪用収容袋１０の内面に塗布されたヘアートリートメント剤には、傷んだ髪の毛の内部に浸透して保水量や強度を回復し、潤いと艶をもたらす種々の成分が含まれており、例えば、アルガンオイル，ローヤルゼリー，シアバター，ツバキ油，メドウフォーム油など古来から毛髪のケアに重要とされる天然由来成分や、保湿・潤いに役立つ植物性エキス、毛髪の構成に欠かせないアミノ酸成分などが含まれる。
【００１４】
より具体的には、例えば、水、ジメチコン、セテアリルアルコール、グリセリン、ステアトリモニウムクロリド、シクロペンタシロキサン、ジメチコノール、ソルビトール、ベヘントリモニウムクロリド、アモジメチコン、シア脂、ヒアルロン酸Ｎａ、アルガニアスピノザ核油、ツバキ油、メドウフォーム油、酢酸トコフェノール、パンテノール、グリチルリチン酸２Ｋ、加水分解コラーゲン、ＢＧ、コメヌカエキス、ダイズ種子エキス、ゴマ種子エキス、タチアオイ根エキス、アロエベラ葉エキス、カンゾウ根エキス、ツルドクダミ根エキス、メシマコブエキス、マグワ樹皮エキス、クララ根エキス、アメリカショウマ根エキス、オニノダケ根エキス、シャクヤク根エキス、オウゴン根エキス、ローヤルゼリーエキス、セリン、グリシン、アラニン、グアーヒドロキシプロピルトリモニウムクロリド、EDTA-2Na、BHT、バニリルブチル、ポリクオタニウム−３７、ジ（カプリル酸/カプリン酸）PG、PPG-1トリデセス−６、メチルクロロイソチアゾリノン、メチルイソチアゾリノン、マイカ、酸化チタン、酸化鉄、セルロースガム、カンテン、ジェランガム、フェノキシエタノール、コンドルスクリスプスエキス、（アクリレーツ/アクリル酸アルキル（C10-30))クロスポリマー、ＴＥＡ、香料などの成分がヘアートリートメント剤に含まれる。頭髪用収容袋１０の内側には、例えば３０ｇ程度のヘアートリートメント剤が塗布される。
【００１５】
図１に示す頭髪処理用キャップは、頭髪収容袋１０を頭髪に被せた状態で頭髪収容袋１０の開口部１５を狭めるための手段として、開口部狭窄部２０を有する。開口部狭窄部２０は、具体的には、開口部１５に近接する頭髪収容袋１０の端部の外面において、開口部１５の縁と平行に突出した突出片２１と、その突出片２１に設けられた接着部２２を有する。
【００１６】
接着部２２は、例えば、接着剤が塗布された接着面を有するテープ状の部材である。この接着面の一部は突出片２１の先端部に固着され、他の部分は剥離紙によって被覆される。剥離紙は、使用の際に接着面から剥がされる。突出片２１は、開口部１５の縁が頭部と密着する程度に開口部１５が十分狭くなる位置まで引っ張られ、その位置で接着部２２の接着面が頭髪収容袋１０の外面に貼着される。これにより頭髪は、上述のヘアートリートメント剤を含んだ頭髪収容袋１０の内部に密閉された状態で収容される。
【００１７】
頭髪収容袋１０は、例えば図１において示すように、開口部１５の一方の端から他方の端へ延びる稜線において接着された２つのシート状部材１１，１２を有する。２つのシート状部材１１，１２は、ぴったり重なり合う合同な平面形状を有しており、その平面形状の縁の部分において互いに接着されている。突出片２１は、この２つのシート状部材１１，１２にそれぞれ設けられた突出部分の縁が上記稜線において接着されることにより形成される。
【００１８】
図２は、本実施形態に係る頭髪処理用キャップの使用例を示す図である。頭髪処理用キャップは、例えば次の手順で使用される。
＜１＞頭髪を予めシャンプー剤等で洗髪する。
＜２＞頭髪全体が収まるように頭髪収容袋１０を被る。長い髪は、全体をまとめて開口部１５から頭髪収容袋１０の中に入れるようにする。
＜３＞開口部１５の縁が頭部と密着するように突出片２１を引っ張って開口部１５を狭めた状態とし、その状態で接着部２２の接着面を頭髪収容袋１０の外面に貼りつける（図２参照）。
＜４＞頭髪収容袋１０の内部のトリートメント剤が頭髪全体に行き渡るように、頭髪収容袋１０の上から髪の毛をやさしくマッサージする。
＜５＞頭髪収容袋１０を被ってから１０〜１５分程経過したら、頭髪収容袋１０を外して、ぬるま湯等で髪の毛を洗う。
【００１９】
以上説明したように、本実施形態に係る頭髪処理用キャップによれば、ヘアートリートメント剤が内面に塗布された頭髪収容袋１０を頭に被せてその中に頭髪が密閉された状態にすることにより、頭髪収容袋１０の内部に頭部の熱がこもって外気より暖かくなるので、頭髪に適度な温熱を与えながらヘアートリートメント剤を作用させることができる。これにより、ヘアートリートメント剤の有効成分が毛髪内部へ浸透しやすくなり、毛髪の保水量や強度を効果的に回復できるとともに、傷んだ毛髪に潤いと艶をもたらすことができる。また、ヘアートリートメント剤に温熱を与える成分を配合することにより、密閉された頭髪収容袋１０内部の温度をより高めることができるため、スチームのような温熱感を与えながら、トリートメント成分の浸透を更に促進することができる。
【００２０】
しかも、本実施形態に係る頭髪処理用キャップによれば、ヘアートリートメント剤を付けた頭髪にタオル等を巻く従来の方法と比べて、特別な準備や片づけの手間が要らず、家庭でも簡単かつ手軽に効果的なヘアートリートメントを実施することができる。
【００２１】
また、本実施形態に係る頭髪処理用キャップによれば、頭髪収容袋１０の外側から頭髪をマッサージできるため、ヘアートリートメント剤を毛髪全体に行き渡らせて作用させることが可能となり、ヘアートリートメント剤の効果を更に高めることができる。
【００２２】
加えて、本実施形態に係る頭髪処理用キャップによれば、合同な平面形状を有する２つのシート状部材（１１，１２）を縁部分で接着させることにより頭髪収容袋１０が形成されるため、頭髪収容袋１０を平面的な形状でコンパクトに折り畳むことが可能であり、場所をとらず携帯性がよいという効果が得られる。
【００２３】
更に、本実施形態に係る頭髪処理用キャップによれば、開口部狭窄部２０により頭髪収容袋１０の開口部１５を狭めて、開口部１５の縁を頭部に密着させることができるため、頭髪収容袋１０の内部のヘアートリートメント剤が顔などに漏れ出ないようにすることができる。
【００２４】
なお、本考案は上述した実施形態にのみ限定されるものではない。すなわち、当業者は、本考案の技術的範囲またはその均等の範囲内において、上述した実施形態の構成要素に関し、様々な変更、コンビネーション、サブコンビネーション、並びに代替を行ってもよい。
【符号の説明】
【００２５】
１０…頭髪収容袋、１１，１２…シート状部材、１５…開口部、２０…開口部狭窄部、２１…突出片、２２…接着部
【図１】
0003186110.tif 000003
【図２】
0003186110.tif 000004